(57)【要約】【課題】不使用時に折り畳んでコンパクトに収納できると共に、断水などの非常時に液体を容易かつ確実に収容、運搬、保管することができる液体用容器を提供すること。【解決手段】袋体１２と、袋体１２の上部に取り付けられた少なくとも１つの給排水部材１４を備えており、袋体１２は、側壁を形成する第１及び第２のシート１６，１８と、底マチを形成する第３のシート２０とを備え、第１及び第２のシート１６，１８の上部から中部の上縁及び両側縁が互いにシールされると共に、第１及び第２のシート１６，１８の下部の両側縁及び下縁と第３のシート２０の周縁とが互いにシールされており、内部に液体を収容した状態で自立可能に構成されていることを特徴とする液体用容器１０である。【選択図】図１
0003218813.tif 000002
【実用新案登録請求の範囲】
【請求項１】
袋体と、該袋体の上部に取り付けられた給排水部材とを備えた液体用容器であって、
前記袋体は、側壁を形成する第１及び第２のシートと、底マチを形成する第３のシートとを備え、前記第１のシートの上部から中部の縁と第２のシートの上部から中部の縁とが互いにシールされると共に、前記第１及び第２のシートの下部の縁と第３のシートの周縁とが互いにシールされており、
内部に液体を収容した状態で自立可能に構成されていることを特徴とする液体用容器。
【請求項２】
袋体は、第１のシートの上部から中部の上縁及び両側縁と第２のシートの上部から中部の上縁及び両側縁とが互いにシールされると共に、前記第１及び第２のシートの下部の両側縁及び下縁と第３のシートの周縁とが互いにシールされていることを特徴とする請求項１記載の液体用容器。
【請求項３】
第１及び第２のシートが、矩形状のシートの四隅に斜辺部を形成した八角形状であると共に、第３のシートが六角形状であることを特徴とする請求項１又は２記載の液体用容器。
【請求項４】
給排水部材が、斜辺部に取り付けられていることを特徴とする請求項３記載の液体用容器。
【請求項５】
第３のシートからなる底マチが、第１及び第２のシートの間に収納可能であることを特徴とする請求項１〜４のいずれか記載の液体用容器。
【請求項６】
吐出部材が、袋体の下部に設けられていることを特徴とする請求項１〜５のいずれか記載の液体用容器。
【請求項７】
把持部が、袋体に設けられていることを特徴とする請求項１〜６のいずれか記載の液体用容器。
【請求項８】
把持部が、袋体の上部中央に設けられていることを特徴とする請求項７記載の液体用容器。
【請求項９】
第１〜３のシートが、ポリエチレンテレフタラート、ポリアミド、及びポリエチレンの順に外側から積層された三層構造であることを特徴とする請求項１〜８のいずれか記載の液体用容器。
【考案の詳細な説明】
【技術分野】
【０００１】
本考案は、水等の液体を収容する液体用容器に関する。
【背景技術】
【０００２】
近年、震災や、気候変動に起因する自然災害が多発しており、いわゆるライフラインの途絶時における生活物質の確保の重要性に対する認識が高まっている。特に、上水道の送水が停止することで生じる断水は、生命に関わる重大な問題であり、その復旧までには長期間を要することから、その重要性に対する認識はより高いものとなっている。
【０００３】
断水時には、給水場所で給水し、給水した水を住宅まで運搬し、保管する必要があるが、このような水を運搬、保管する容器として、種々の容器が提案されている。
【０００４】
例えば、合成樹脂シートより製袋されてなる袋の少なくとも一箇所に封入弁を有し、封入弁の液体吐出口の近傍において、封入弁と、袋とが接合されている液体用容器が提案されている（特許文献１参照）。
【先行技術文献】
【特許文献】
【０００５】
【特許文献１】特開平０９−０５８７０２号公報
【考案の概要】
【考案が解決しようとする課題】
【０００６】
断水時等の非常時において使用される容器には、不使用時にはコンパクトに収納でき、かつ、使用時には液体を容易かつ確実に収容（注入）、運搬、保管できることが求められる。
【０００７】
しかしながら、上記特許文献１の容器は、不使用時のコンパクトさは備えているものの、自立できない容器であるため、収容、運搬、保管の際に多くの不都合な点があった。すなわち、液体を収容する際には、容器が不安定であり、傾倒して水が漏出するおそれがあった。また、運搬車等の荷台やかごに載せて運搬する際には、容器が安定しないことから、容器が破損しやすく、液体吐出口等の破損した箇所から液体が漏出するおそれもあった。さらに、保管の際には、容器を自立させて整列させることができないことから、その保管場所の選定、確保も容易ではなかった。
【０００８】
本考案の課題は、不使用時に折り畳んでコンパクトに収納できると共に、使用時に液体を容易かつ確実に収容、運搬、保管することができる液体用容器を提供することにある。
【課題を解決するための手段】
【０００９】
本考案者は、上記課題を解決すべく鋭意研究した結果、側壁を形成する第１及び第２のシートと、底マチを形成する第３のシートとを用いて袋体を構成することにより、不使用時に折り畳んでコンパクトに収納できると共に、使用時には容器を自立させ、液体を容易かつ確実に収容、運搬、保管することができることを見いだし、本考案を完成するに至った。
【００１０】
すなわち、本考案は、以下の通りのものである。
［１］袋体と、該袋体の上部に取り付けられた給排水部材とを備えた液体用容器であって、前記袋体は、側壁を形成する第１及び第２のシートと、底マチを形成する第３のシートとを備え、前記第１のシートの上部から中部の縁と第２のシートの上部から中部の縁とが互いにシールされると共に、前記第１及び第２のシートの下部の縁と第３のシートの周縁とが互いにシールされており、内部に液体を収容した状態で自立可能に構成されていることを特徴とする液体用容器。
［２］袋体は、第１のシートの上部から中部の上縁及び両側縁と第２のシートの上部から中部の上縁及び両側縁とが互いにシールされると共に、前記第１及び第２のシートの下部の両側縁及び下縁と第３のシートの周縁とが互いにシールされていることを特徴とする上記［１］記載の液体用容器。
［３］第１及び第２のシートが、矩形状のシートの四隅に斜辺部を形成した八角形状であると共に、第３のシートが六角形状であることを特徴とする上記［１］又は［２］記載の液体用容器。
［４］給排水部材が、斜辺部に取り付けられていることを特徴とする上記［３］記載の液体用容器。
【００１１】
［５］第３のシートからなる底マチが、第１及び第２のシートの間に収納可能であることを特徴とする上記［１］〜［４］のいずれか記載の液体用容器。
［６］吐出部材が、袋体の下部に設けられていることを特徴とする上記［１］〜［５］のいずれか記載の液体用容器。
［７］把持部が、袋体に設けられていることを特徴とする上記［１］〜［６］のいずれか記載の液体用容器。
［８］把持部が、袋体の上部中央に設けられていることを特徴とする上記［７］記載の液体用容器。
［９］第１〜３のシートが、ポリエチレンテレフタラート、ポリアミド、及びポリエチレンの順に外側から積層された三層構造であることを特徴とする上記［１］〜［８］のいずれか記載の液体用容器。
【考案の効果】
【００１２】
本考案の液体用容器によれば、不使用時に折り畳んでコンパクトに収納できると共に、使用時に液体を容易かつ確実に収容、運搬、保管することができる。
【図面の簡単な説明】
【００１３】
【図１】本考案の一実施形態に係る液体用容器の概略斜視図である。
【図２】本考案の一実施形態に係る液体用容器の概略正面図である。
【図３】本考案の一実施形態に係る液体用容器の底マチを拡げた際の概略背面図である。
【図４】図２におけるＡ−Ａ線における概略断面図である。
【図５】本考案の一実施形態に係る液体用容器の給排水部材の説明図である。
【図６】本考案の他の実施形態に係る液体用容器の概略斜視図である。
【考案を実施するための形態】
【００１４】
本考案の液体用容器は、袋体と、袋体の上部に取り付けられた給排水部材とを備えており、袋体は、側壁を形成する第１及び第２のシートと、底マチを形成する第３のシートとを備え、第１のシートの上部から中部の縁と第２のシートの上部から中部の縁とが互いにシールされると共に、第１及び第２のシートの下部の縁と第３のシートの周縁とが互いにシールされており、内部に液体を収容した状態で自立可能に構成されていることを特徴とする。
【００１５】
なお、シールされるシートの縁とは、通常は、シートの周端部をいうが、後述する取手等の部材がシートの周部に設けられている場合は、周端部に限らず、その部材が存在する部分の内方であってもよい。すなわち、図２に示すように、上側周部に取手が設けられている場合には、取手を避けるように内方に形成された凹状のシール部分も上縁とする。
【００１６】
本考案の液体用容器は、全体がシート状であるため、内部に液体を収容していない不使用時には、全体を丸めたり折り畳んだりしてコンパクトに収納することができる。
また、本考案の液体用容器は、底マチを有しているため、内部に液体を収容（注入）する際や内部に液体を収容した際に、地面や台上に載置して自立させることができる。したがって、液体の収容時においては、傾倒のおそれがなく容易かつ確実に液体を注入することができる。また、運搬時においては、容器が破損するおそれがなく、容器を整列させて効率的に運搬することができる。さらに、保管時においては、容器を整列させて保管することができ、保管場所の選定や確保も容易である。
また、本考案の液体用容器は、底マチを有していることから、内容量を増大できる。
【００１７】
本考案の液体用容器の用途は特に制限されないが、例えば、災害時、断水時等の非常用として用いることができる。その他、アウトドア等のレジャー用として用いることもできる。
【００１８】
本考案の液体用容器の容量は、使用目的に応じて適宜選択され、例えば、０．３〜１５Ｌが好ましく、１〜１０Ｌがより好ましい。
【００１９】
本考案の液体用容器に収容される液体としては、水が好ましく、その他の液体としては、酒類、ジュース等の飲料、油、調味料、ヘアケア剤、液体石鹸、液体洗剤、液体洗浄剤、液状医薬品等を挙げることができる。
【００２０】
本考案の袋体は、内部に液体を収容できるものであり、上記のように、側壁を形成する第１及び第２のシートと、底マチを形成する第３のシートとを備えている。そして、第１のシートの上部から中部の縁と第２のシートの上部から中部の縁とが互いにシールされ、また、第１及び第２のシートの下部の縁と第３のシートの周縁とが互いにシールされている。すなわち、本考案の液体用容器は、底部に底マチが形成された底ガゼット型のガゼット容器（ガゼット袋）である。
【００２１】
本考案の袋体の一つの態様として、袋体は、第１のシートの上部から中部の上縁及び両側縁と第２のシートの上部から中部の上縁及び両側縁とが互いにシールされると共に、第１及び第２のシートの下部の両側縁及び下縁と第３のシートの周縁とが互いにシールされている。
【００２２】
第１及び第２のシートの形状としては、例えば、正方形、長方形等の矩形状、多角形状を挙げることができる。多角形状のシートとしては、具体的に例えば、矩形状のシートの四隅に斜辺部を形成した八角形状のシートを挙げることができる。また、第３のシートの形状としては、第１及び第２シートの下部の形状に対応した形状とすることができ、例えば、正方形、長方形等の矩形状、六角形状等の多角形状を挙げることができる。
【００２３】
この第３のシートからなる底マチは、第１及び第２のシートの間に収納可能であることが好ましい。具体的には、第３のシートが袋体の下端（上端）と平行な中央線で折り曲げられて第１及び第２のシートの間に収納されることが好ましい。これにより、不使用時に、よりコンパクトに収納できると共に、使用時には内容量を増大することができる。
【００２４】
第１〜３のシートとしては、防水性、引張性、耐候性等を発揮する機能性シートを適宜選択することができ、その素材としては、例えば、ポリエチレン、シリコーンゴム、スチレン−ブタジエンゴム、エチレン−プロピレンゴム、ポリエチレンテレフタラート、低密度ポリエチレン、ポリプロピレン、ポリアミド（ナイロン）を挙げることができる。
【００２５】
第１〜３のシートは、容器としての各種機能をより発揮するために、各種機能性シートが順次積層された積層構造であることが好ましい。すなわち、本考案の第１〜３のシートは、１又は２以上の機能性シートからなる積層構造であることが好ましく、具体的に、ポリエチレンテレフタラート、ポリアミド、及びポリエチレンの順に外側から積層された三層構造であることが特に好ましい。ポリエチレンテレフタラートは、強靭で、ガスバリア性に優れ、ポリアミドは、耐摩耗性、耐寒冷性、耐衝撃性に優れ、ポリエチレンは、電気絶縁性、耐水性、耐薬品性に優れる。このような積層構造のシートを用いることにより、防水性、引張性、耐候性等に優れた容器とすることができ、形態が不安定である液体を収容して運搬しても容器が破損する等のおそれがなく、また、繰り返し使用することが可能となる。
【００２６】
第１〜３のシートのシール方法としては、シートを接着・接合させることができる方法であれば特に制限されるものではなく、従来公知のシール加工方法を用いることができる。シール加工方法としては、例えば、コールドシール法、ヒートシール法、インパルスシール法、超音波シール法、高周波シール法、溶断シール法等を挙げることができる。本考案のシール方法としては、成形が容易な点から、シート同士を加熱・接着させるヒートシール法が好ましい。
【００２７】
袋体の上部に取り付けられた本考案の給排水部材は、袋体に液体を注入・注出するための部材であり、通常、本体とキャップを備えている。給排水部材の素材としては、例えば、ポリエチレン、ポリプロピレン等の硬質合成樹脂の他、アルミ等の金属を用いることができる。
【００２８】
本体は、通常、キャップ取付部と、キャップ取付部の下部に設けられた、袋体に固着される固着部とを備えている。キャップ取付部としては、例えば、円筒状の部位（部材）を挙げることができる。固着部としては、例えば、平面視して木の葉状の部位（部材）を挙げることができる（図５参照）。固着部の形状を木の葉状とすることにより、丸状の場合と比べて、袋体（第１及び第２のシート）のシール部分との接着面積を大きくでき、固着強度を高めることができる。
【００２９】
本考案の給排水部材は、上記のように袋体の上部に取り付けられていれば特に制限はなく、上部中央に取り付けられてもよく、上部端に取り付けられてもよいが、少なくとも左右いずれか一方の上部端に取り付けられることが好ましい。この給排水部材の取り付けは、例えば、第１及び第２のシートを互いにシールする際、第１及び第２のシートの上部端に、内部と外部を連通する開口（シールしない部分）を形成しておき、この開口に給排水部材を挿入し、第１及び第２のシートとシールすることにより行われる。第１及び第２のシートの上部端に斜辺部が形成されている場合は、この斜辺部に給排水部材を取り付けることが好ましい（図２参照）。給排水部材を袋体の上部端に取り付けることにより、上部中央に取り付けた場合に比べて、排水時の容器の傾斜を小さくすることができ、容器に収容した液体を容易に注出することができる。
【００３０】
なお、本考案の給排水部材は、２以上取り付けてもよく、例えば、袋体の上部中央及び上部端（斜辺部）の双方に給排水部材を取り付けた場合には、上部中央に取り付けた給排水部材を注入用とし、斜辺部に取り付けた給排水部材を注出用とする等の目的に合わせた使用が可能となる。
【００３１】
また、本考案の液体用容器の袋体の下部には、吐出部材が設けられていることが好ましい。これにより、容器を持ち上げることなく、容器を載置した状態で簡単に液体を容器から吐出できるため、老齢者や子供など腕力のない者でも容易に使用できる。吐出部材としては、容器内に収容された液体を吐出できるものであれば特に制限されるものではなく、例えば、コック、蛇口等の部材を挙げることができる。この吐出部材は、例えば、袋体の下から５〜１５ｃｍ程度の高さに設けられていることが好ましい。
【００３２】
また、袋体に把持部が設けられていることが好ましい。これにより、液体を収容した容器を容易に運搬できる。把持部としては、例えば、袋体に形成した開口、袋体と別体の取手等を挙げることができる。把持部は、例えば、袋体の上部、側部等の容器の内方に配置されていてもよく、袋体の上方、側方等の容器の外方に配置されていてもよいが、袋体の上部に配置された横長の輪状取手が好ましい。これにより、容器をより容易に運搬することができる。
【００３３】
以下、図面に基づき、本考案の一実施形態に係る液体用容器を説明するが、本考案の技術的範囲は、本実施形態に限定されるものではない。ここで、図１は、本考案の一実施形態に係る液体用容器の概略斜視図であり、図２は、本考案の一実施形態に係る液体用容器の概略正面図であり、図３は、本考案の一実施形態に係る液体用容器の底マチを拡げた際の概略背面図であり、図４は、図２におけるＡ−Ａ線における概略断面図であり、図５は、本考案の一実施形態に係る液体用容器の給排水部材の説明図である。図１〜５中、斜線部はシール部分を示す。
【００３４】
図１に示すように、本考案の一実施形態に係る液体用容器１０は、袋体１２と、給排水部材１４とを備えている。また、液体用容器１０には、その上部中央に把持部としての取手２２が設けられ、下部中央に吐出部材としてのコック２４が設けられている。液体用容器１０は、例えば、縦４０ｃｍ、横４０ｃｍ程度の大きさである。
【００３５】
図１及び図２に示すように、袋体１２は、第１のシート１６、第２のシート１８、及び第３のシート２０を具備している。具体的に、袋体１２は、四隅に斜辺部１３ａ〜１３ｄを有する略八角形の第１のシート１６と、同一形状の第２のシート１８とを重ね合せて、両シート１６，１８の上部１５から中部１７の上縁及び両側縁がヒートシールされている。さらに、図２及び図３に示すように、袋体１２は、第１のシート１６と第２のシート１８の下部１９の両側縁の残部及び下縁が、略六角形の第３のシート２０の周縁とヒートシールされている。
【００３６】
図２及び図４に示すように、液体用容器１０内部に液体を収容していない場合、第３のシート２０は、袋体１２の下端（上端）と平行な中央線２１で折り曲げられて、第１のシート１６と第２のシート１８の下部の間に収納される。
【００３７】
また、図１に示すように、液体用容器１０内部に液体を収容している場合、折り畳まれた第３のシート２０が展開され、第３のシート２０が底マチを形成し、地面や台に載置した場合に、液体用容器１０は自立するようになっている。
【００３８】
図４に示すように、袋体１２（第１〜３のシート１６，１８，２０）は、ポリエチレンテレフタラート２６、ポリアミド２８、及びポリエチレン３０の順に外側から積層された三層構造である。これにより、防水性、引張性、耐候性等に優れた容器となる。
【００３９】
図１及び図５に示すように、給排水部材１４は、液体用容器１０の上部の片側斜辺部１３ａの第１及び第２のシート１６，１８によるシール部分に取り付けられている。
給排水部材１４は、容器に液体を注入・注出するための部材であり、本体３２とキャップ３４を備えている。本体３２は、円筒状のキャップ取付部３６と、このキャップ取付部３６の下部に設けられた、平面視して木の葉状の固着部３８とを具備している。
【００４０】
固着部３８は、第１及び第２のシート１６，１８の縁のシール部分に挟まれてヒートシールされている。固着部３８は、木の葉状に形成されており、丸状に形成した場合に比べて接着面積が大きいため、より強固に固着することができる。さらに、固着部３８には、第１及び第２のシート１６，１８との接着面である外周面に、３つの突条部４０が設けられ、また、その両端に２つのバリ状の突片部４２が設けられている。この突条部４０及び突片部４２が設けられることによっても、給排水部材１４が、袋体１２に強固に固着される。
【００４１】
また、図１〜図３に示すように、液体用容器１０は、袋体１２の上部中央に取手２２を有している。取手２２は、横長の輪状体であり、内周上側が波状に形成され、外周側の縁が第１及び第２のシート１６，１８の上部中央で挟まれてシールにより固着されている。これにより、使用者が手指を差し入れて把持することができ、形状が不安定な液体用容器１０を容易に運搬することができる。また、液体用容器１０を傾けて給排水部材１４から液体を注出することができる。
【００４２】
また、図１及び図２に示すように、液体用容器１０（第１のシート１６）の下部中央にはコック２４が取り付けられている。コック２４は、第１のシートに溶着されて取り付けられた基部４４と、基部４４を介して容器内部の液体を外部に吐出するノズル４６と、バネにより下方に付勢され、その上下動により、基部４４とノズル４６とを連通又は遮断する開閉レバー４８とを備えている。コック２４を介して液体用容器１０から液体を吐出することができる。
【００４３】
上記のような構成の液体用容器１０の使用方法についての一例を説明する。
まず、不使用時には、液体用容器１０は、折り畳まれてコンパクトに収納されている。
【００４４】
そして、断水時等、使用する際には、折り畳まれた液体用容器１０を給水場所まで運搬する。給水場所では、給排水部材１４のキャップ３４を開けて、取手２２に手をかけて液体用容器１０を支えつつ、地面や台に載置した状態で、水を液体用容器１０内部に注入する。この際、液体用容器１０は底マチによって自立させることができるため、安定して水を注入することができる。給水後、キャップ３４を締めて蓋をする。
【００４５】
次に、使用目的地まで、取手２２に手をかけて液体用容器１０を運搬し、液体用容器１０を台等の上に自立させて設置する。
【００４６】
そして、水が必要な際は、コック２４の開閉レバー４８を上げて、水を吐出する。一方、取手２２に手をかけて液体用容器１０を持ち上げ、給排水部材１４のキャップ３４を開けて、液体用容器１０を傾けることによって、給排水部材１４から直接水を注出することもできる。
【００４７】
使用後は、必要に応じて、給排水部材１４又はコック２４より、液体用容器１０内部の水を排出して、第３のシート２０を第１及び第２のシート１６，１８の間に収納して折り畳み、再度保管することができる。このように使用後には、全体としてシート状であることから、折り畳んでコンパクトに収納しておくことができ、繰り返し使用することができる。
【００４８】
次に、本考案の他の実施形態に係る液体用容器について説明する。ここで、図６は、本考案の他の実施形態に係る液体用容器の概略斜視図である。
本考案の他の実施形態の液体用容器１０’は、袋体の下部中央に吐出部材としてのコック２４が設けられていないものであり、その他の構成については、上述の一実施形態に係る液体用容器と同様である。
【産業上の利用可能性】
【００４９】
本考案の液体用容器は、断水などの非常時に液体を収容して保管できるものであることから、産業上有用である。
【符号の説明】
【００５０】
１０    液体用容器
１０’  液体用容器
１２    袋体
１３    斜辺部
１４    給排水部材
１５    上部
１６    第１のシート
１７    中部
１８    第２のシート
１９    下部
２０    第３のシート
２１    中央線
２２    取手
２４    コック
２６    ポリエチレンテレフタラート
２８    ポリアミド
３０    ポリエチレン
３２    本体
３４    キャップ
３６    キャップ取付部
３８    固着部
４０    突条部
４２    突片部
４４    基部
４６    ノズル
４８    開閉レバー
【図１】
0003218813.tif 000003
【図２】
0003218813.tif 000004
【図３】
0003218813.tif 000005
【図４】
0003218813.tif 000006
【図５】
0003218813.tif 000007
【図６】
0003218813.tif 000008